(57)【要約】【課題】長時間着座していても、特定の身体部分に違和感を覚えたり負担を感じたりすることの無い座り心地の良いクッションを経済的に提供する。【解決手段】クッションの一方の座面に、弾力性の有る柔軟な部材から成る直方体状の突起部をマトリクス状に配列し、また、前記突起部をマトリクス状の前記配列の横方向と縦方向とで異なる間隔で配列し、更に、前記座面の縁部分では該縁部分の形状に合わせて切り欠かれた形状で配置する。【選択図】図１
0003148994.tif 000002
【実用新案登録請求の範囲】
【請求項１】
一方の座面に、弾力性の有る柔軟な部材から成る直方体状の突起部をマトリクス状に配列して成る、ことを特徴とする多機能クッション。
【請求項２】
前記突起部はマトリクス状の前記配列において前記突起部の直方体の長手方向の間隔と短手方向の間隔とでは異なる間隔で配列される、ことを特徴とする請求項１記載の多機能クッション。
【請求項３】
前記突起部は、前記座面の縁部分では該縁部分の形状に合わせて切り欠かれた形状で配置される、ことを特徴とする請求項１記載の多機能クッション。
【考案の詳細な説明】
【技術分野】
【０００１】
本考案は、複数の使用方法で使用でき長時間の使用でも心地良く使用できる多機能クッションに関する。
【背景技術】
【０００２】
従来、突起部を有するマット（クッション）としては、空気マット本体の表面にマトリクス状に配置された柔軟性を有する複数の円柱形状をなす突起部を備えた空気マットを設け、突起部内の空気室の空気圧を空気圧センサによって個々に検出し、検出結果に基づいて、制御ユニットによって各突起部毎に設けた電磁バルブの開閉制御を行うと共に制御ユニット内のポンプ装置から空気を供給して各空気室の空気圧を制御することで、各突起部と使用者の身体との接触圧力を例えば均等になるように自動的に調整する空気マットが提案されている（例えば、特許文献１参照）。
【０００３】
この特許文献１の空気マットによれば、隣り合う突起部間に隙間が形成され、この隙間における空気の流通が生じ、空気マットと使用者の身体との間に蒸れを生じることがないため、これによっても使用者の身体における褥瘡の発症を低減することができるとしている。
【特許文献１】特願２００５−２０６９０公報
【考案の開示】
【考案が解決しようとする課題】
【０００４】
ところで、特許文献１で示されている空気マットは、突起部の形状が円柱形である。円柱形の突起部は、どのように密に配置しても隣接する突起部間には間隙が生じる。したがって、使用者が空気クッションに着座した場合、上方向から荷重が掛かった各円柱状の突起部は横方向に倒れるように容易に変形しやすい。このため、使用者は違和感を覚えやすい。
【０００５】
このことを解決するために特許文献１では、各突起部と使用者の身体との接触圧力が均等になるように、突起部内の空気室の空気圧を空気圧センサによって個々に検出し、検出結果に基づいて、制御ユニットによって各突起部毎に設けた電磁バルブの開閉制御を行うと共に制御ユニット内のポンプ装置から空気を供給して各空気室の空気圧を制御することで自動調節している。  
【０００６】
しかしながら、空気圧センサ、制御ユニット、電磁バルブ等の装置を必要とする空気マットでは、それらの装置だけでも高価なものであるから、全体としては極めて高価な空気クッションとなるという問題があった。
【０００７】
そればかりでなく、円柱状の突起を平均的に配置しただけの構成であるので、どの方向から座用しても同一の座用感で変化がなく、なんらかの変化を得るには上述した空気圧センサ、制御ユニット、電磁バルブ等の装置の助けを借りることになり、その操作に手数を要するという問題もある。
【０００８】
本考案の課題は、複数の使用方法で使用でき長時間の使用でも心地良く使用でき且つ安価な多機能クッションを提供することである。
【課題を解決するための手段】
【０００９】
本考案は、以上のような課題を解決するために考案されたものであり、クッションの一方の座面に、弾力性の有る柔軟な部材から成る直方体状の突起部をマトリクス状に配列し、また、前記突起部はマトリクス状の前記配列の横方向と縦方向とで異なる間隔で配列され、更に、前記突起部は、前記座面の縁部分では該縁部分の形状に合わせて切り欠かれた形状で配置される、ようにしたものである。
【考案の効果】
【００１０】
本考案によれば、直方体状の突起部がマトリクス上に配列されたクッションへの着座箇所によって座り心地が変わってくるため、使用者は使用中の感触や時間の経過等に応じてクッションを任意の位置に回転させて着座したり、突起部の無い座面に着座することも可能となるので、着座が継続している任意の時点で一番座り心地の良い角度や面を選んで使用でき長時間着座していても座り心地良く使用できる多機能クッションを提供することができる。また、空気圧センサ、制御ユニット、電磁バルブ等の装置が不要であるので安価で経済的な多機能クッションが実現できる。
【考案を実施するための最良の形態】
【００１１】
以下、図面を参照しながら、本考案の実施形態について詳細に説明する。
図１は、本考案のクッションの構成を示す図である。同図に示すクッション１０は、円形のクッション層１１と、このクッション層１１の片面（同図では上方を向く面）全面に亘って多数形成された突起部１２から構成される。
【００１２】
突起部１２は、クッション層１１と別の工程で製造した後にクッション層１１に強力な接着剤で固着しても良いし、最初の製造工程からクッション層１１と一体に製造されるようにしても良い。
【００１３】
クッション層１１は、図１に示すように円板形であっても良く、或いは四角等の他の形状であってもよい。円板形の場合、その直径は、例えば、４０センチ程度であっても良い。また、その高さは、例えば、５センチ程度であっても良い。また、クッション層１１の素材としては、弾力性の有る柔軟な部材、例えば、ポリウレタンであっても良い。
【００１４】
突起部１２は、クッション層１１の一方の座面にマトリクス状に配列されており、弾力性の有る柔軟な部材から成る直方体の形状を成している。直方体の素材としては、例えば、ポリウレタンであっても良い。
【００１５】
図２は、突起部１２の配列の一例を示す図である。
図２に示す突起部１２のサイズにおいて、直方体の長手方向（縦方向）の寸法をa（ｃｍ）、直方体の短手方向（横方向）の寸法をb（ｃｍ）、直方体の高さ寸法をh（ｃｍ）とすると、例えば、a：b：h＝５：３：３であるのが好ましい。具体的には４ｃｍ＜a＜６ｃｍ、２ｃｍ＜b＜４ｃｍ、２ｃｍ＜h＜４ｃｍの範囲であれば、十分な作用・効果を発揮することができる。
【００１６】
また、本例では、突起部１２が配列されるマトリクス状の長手方向及び短手方向の隙間は異なっている。図２において、長手方向の隙間をｗ１、短手方向の隙間をｗ２とすると、ｗ１＞ｗ２であるのが好ましい。勿論、ｗ１＝ｗ2であっても良い。
【００１７】
図３は、クッション１０の使用方法を説明する図である。クッション１０は、上述したような形状に構成されているので、突起部１２の有る座面に着座する場合には、着座する方向によって、座り心地、感触が異なってくる。
【００１８】
すなわち、図３の矢印ａで示す突起部１２の短手方向を前後方向としてクッション１０を使用した場合、矢印ｂで示す突起部１２の長手方向を前後方向として使用した場合、矢印ｃで示す上記の中間を前後方向として使用した場合などでは、使用者が感じる感触が異なってくる。また、使用者は、図３に示す状態からクッション１０の天地を反対にして、突起部１２の無い面に着座することも可能であり、その場合は、使用者は、突起部１２の有る座面とは更に違った座り心地が得られてくる。
【００１９】
また、上記の使用方法に限ることなく、使用者は、突起部１２の有る座面を使用していて座り心地を変えたければ、任意の時間毎に、クッション１０を任意に回転させて、例えば、１５分毎に２０度ずつ回転させるなどして、使用しても良い。また、使用者は、場合によっては、突起部１２の無い座面に着座して、更に、座り心地を変えても良い。
【００２０】
また、クッション１０は、円板形であるが、このクッション１０が置かれる椅子等の座面は円形とは限らないので、そのような形状の椅子等にも適合させたい場合がある。
図４は、クッション１０をほぼ正方形の座面を有する椅子等に適合させるための板状の補助クッションを示す図である。図４に示すように、補助クッション２０は、上部層２２と下部層２３の２層構成になっている。ほぼ直方体状の上部層２２の中央には、上部層２２を縦に貫通する丸孔２１が形成されている。また、下部層２３は、上部層とほぼ一致する大きさで適宜の厚さの板状のクッション材であり、孔は無く、平面を成している。
【００２１】
下層部２３を付ける理由は、上層部２２には、貫通する丸穴２１があるので、上層部２２単独では安定しないので、穴の無い下層部２３を付けて安定させることにある。更に、上部層２２と下部層２３とは、それぞれ、別々の工程で製造した後に強力な接着剤で固着されていても良いし、最初の製造工程から一体に製造されるようにしても良い。
【００２２】
使用者は、補助クッション２０の丸穴２１に、図１（又は図２）に示したクッション１０を嵌め込んで、椅子等の座面に置いて使用する。
補助クッション２０の形状としては、上記のように正方形と限ることなく、補助クッション２０が置かれる椅子の形状等に応じて、長方形、あるいは、背付き等であっても良い。補助クッション２０の座面の大きさは、例えば、目的とする椅子等の座面の大きさの範囲内である。
【００２３】
補助クッション２０の部材に関しては、上層部２２と下層部２３で同じであっても異なっていても良く、クッション１０と同様の弾力性の有る柔軟な部材、例えば、ポリウレタン、であって良い。    
【００２４】
補助クッション２０の高さに関しては、上層部２２はクッション層１１の高さと同じであって、下部層２３は１−２センチ程度であっても良い。
丸穴２１は、円板形のクッション１０を嵌め込めるような大きさの円形をしている。丸穴２１の形成箇所は、上部層２２の中央部に有っても良く、また、補助クッション２０の大きさを基に使用者の使用勝手を考慮して適宜の位置を決めても良い。
【００２５】
使用者は、突起部１２の有る座面を使用していて、座り心地を変えたければ、嵌め込まれているクッション１０を任意に回転させて、あるいは、天地を反対にして嵌め直して使用しても良い。なお、クッション１０の配置を変える場合、クッション１０が補助クッション２０に嵌め込まれたままの状態でクッション１０を回転できるようにしても良いし、クッション１０を補助クッション２０から一旦外して、クッション１０を任意に回転させてから補助クッション２０に嵌め込むようにしても良い。
【００２６】
尚、本実施例では、突起部１２が直方体の場合について説明したが、突起部１２を立方体とした場合には、突起部１２の配列の一方の方向の配置間隔と、それと直交する方向の配置間隔とを適宜の比率で違えることにより、上記同様の使用上の効果を得ることができる。
【００２７】
以上、実施形態に基づき本考案に係る多機能クッションについて説明したが、上述した実施形態は本考案の理解を容易にするためのものであって本考案を限定するものではない。本考案は、請求項の趣旨を逸脱することなく、変更、改良され得るとともに、本考案にはその等価物が当然含まれる。
【図面の簡単な説明】
【００２８】
【図１】本考案のクッションの構造の一例を示す斜視図である。
【図２】本考案の突起部の配列の一例を示す図である。
【図３】本考案のクッションの使用方法を説明する図である。
【図４】本考案のクッションを嵌め込む補助クッションの構造の一例を示す図である。
【符号の説明】
【００２９】
１０  クッション
１１  クッション層
１２  突起部
２０  補助クッション
２１  丸穴
２２  上層部
２３  下層部
【図１】
0003148994.tif 000003
【図２】
0003148994.tif 000004
【図３】
0003148994.tif 000005
【図４】
0003148994.tif 000006